(57)【特許請求の範囲】
【請求項１】
柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成されており、前記密封そで部の先端部には、内側につまみを設け、外側にスポンジ等の洗浄用具が設けられていることを特徴とする入浴装置。
【請求項２】
柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成され、前記下側シートは、ベッド本体に取付けられており、前記密封そで部の先端部には、内側につまみを設け、外側にスポンジ等の洗浄用具が設けられていることを特徴とする入浴装置付ベッド。
【請求項３】
柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成され、前記下側シートは、車椅子のリクライニングシートに取付けられており、前記密封そで部の先端部には、内側につまみを設け、外側にスポンジ等の洗浄用具が設けられていることを特徴とする入浴装置付車椅子。
【発明の詳細な説明】
【０００１】
【発明の属する技術分野】
本発明は、身体の不自由な人の入浴に好適な入浴装置、入浴装置付ベッド及び入浴装置付車椅子に関する。
【０００２】
【従来の技術】
従来、ベッド上で入浴させるものとして、例えば特開平８−７００号公報（以下、公知例１という）、特開平８−１０３０４号公報（以下、公知例２という）、特開平１０−１２７７２７号公報（以下、公知例３という）等が挙げられる。
【０００３】
公知例１は、医療施設で用いるもので、ベッドの側方に浴槽を配設し、浴槽を挟んでベッドの逆側にベッドとほぼ平行に回転可能に水平に支承された支軸と、一端がベッドに係止され、他端が支軸に巻回された柔軟なシート材とを備えている。
【０００４】
公知例２は、ベッド上で浴槽を作るもので、防水シートの四辺を袋状にし、板を差込んで長手側板、短手側板を起こして箱にし、開口した上面を透明で顔の出る穴及び腕の入る穴を設けた軟性材カバーを被せて使用する。
【０００５】
公知例３もベッド上で浴槽を作るもので、ベッドの側部に位置する頭部側パネル、足部側パネル、左右パネルに取付けられたサイドフレーム、サイドフレームに載置されたテーブルに防水シートを被せて浴槽を作る。
【０００６】
【発明が解決しようとする課題】
公知例１は、支軸を回す人と、支軸が回ってシート材が移動する時に、シート材に寝た状態の身体の不自由な人を浴槽に導くために手助けをする人の少なくとも２人が必要であり、家庭内の使用には適さない。
【０００７】
公知例２及び公知例３は、ベッドに寝た身体の不自由な人を一旦ベッドより他の場所に移し、ベッド上に浴槽を設置する必要があるので、介護者が力の弱い女子や老齢者等である場合には、容易ではない。また浴槽全体が開放されているので、そこから蒸気が多量に発生し、ベッド及び部屋全体が湿気で濡れ、かび等の発生原因となる。
【０００８】
本発明の課題は、簡単な装置で周囲が湿気で濡れないようにし、女子や老齢者等でも１人で容易に入浴させることができる入浴装置、入浴装置付ベッド及び入浴装置付車椅子を提供することにある。
【０００９】
【課題を解決するための手段】
上記課題を解決するための本発明の第１の手段は、柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成されており、前記密封そで部の先端部には、内側につまみを設け、外側にスポンジ等の洗浄用具が設けられていることを特徴とする。
【００１０】
上記課題を解決するための本発明の第２の手段は、柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成され、前記下側シートは、ベッド本体に取付けられており、前記密封そで部の先端部には、内側につまみを設け、外側にスポンジ等の洗浄用具が設けられていることを特徴とする。
【００１１】
上記課題を解決するための本発明の第３の手段は、柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成され、前記下側シートは、車椅子のリクライニングシートに取付けられており、前記密封そで部の先端部には、内側につまみを設け、外側にスポンジ等の洗浄用具が設けられていることを特徴とする。
【００１６】
【発明の実施の形態】
本発明の一実施の形態を図１により説明する。入浴装置は、柔軟性と防水性を有する下側シート１と、柔軟性と防水性を有する全体或いは一部分が透明な上側シート２とからなっている。下側シート１と上側シート２とは顔の部分を除いて密封ジッパー３で上側シート２の周辺が下側シート１に少なくとも三方が密閉されて袋状に形成される。
【００１７】
下側シート１の下面の周囲には、ベッド又は車椅子に着脱自在に取付けるための、例えばスライドファスナー、面ファスナー、フック等の取付け具４が取付けされている。
【００１８】
上側シート２には、排水パイプ５が接続されており、排水パイプ５の途中には切り換えコック６が設けられている。なお、排水パイプ５は上側シート２ではなく下側シート１に取付けてもよい。また上側シート２には、腕を挿入する空洞の密封そで部１０が複数個（実施の形態は４個）設けられている。密封そで部１０の先端部の内側にはつまみ１１が設けられ、また密封そで部１０の先端部の外側にはスポンジ等の洗浄用具１２が取付けられている。
【００１９】
次に前記のように構成された入浴装置の使用方法について説明する。図２乃至図４はベッドに装着して用いる場合を示す。図２に示すように、ベッドは、ベッド本体２０、頭部側パネル２１、足部側パネル２２、左側パネル２３、右側パネル（図示せず）、左側パネル２３及び右側パネルに取付けられるサイドフレーム２４、サイドフレーム２４に着脱自在なテーブル２５等によって構成されている。またサイドフレーム２４は左側パネル２３及び右側パネルの内側に形成されている取付け部２６に挿入して取付けるようになっており、これによってテーブル２５をベッド上の好みの位置に配置させることができるようになっている。
【００２０】
そこで、ベッド本体２０に下側シート１を被せ、下側シート１の下面周囲に取付けられた取付け具４をベッド本体２０の側面に取付けられたスライドファスナー、面ファスナー、フック等の取付け具に取付けておく。そして、通常はこの状態で身体の不自由な人のベッドとして使用する。
【００２１】
入浴させる場合は、予め温水供給装置を準備しておく。温水供給装置は、図４に示すように、温水を一時溜めるタンク３０と、下側シート１と上側シート２で形成される袋状内に温水を供給するパイプ３１と、パイプ３１の途中に設けられたポンプ３２とからなっている。タンク３０に供給する温水としては、図示しないが、例えば住居に通常設置されている給湯設備の湯が吐出される蛇口にパイプの端を接続し、パイプの他端をタンク３０に配置して供給するようにする。
【００２２】
そこで、入浴者がベッドに寝たままの状態で、図３及び図４に示すように、テーブル２５、サイドフレーム２４を取外し、入浴者に上側シート２を被せ、顔部分を残して上側シート２を密封ジッパー３によって下側シート１に取付ける。これにより、入浴者の身体は袋状に形成された下側シート１と上側シート２内にある状態となる。
【００２３】
この状態で、下側シート１と上側シート２の開口した首側部分より粉石鹸又は液体石鹸を下側シート１と上側シート２で形成される袋状内部に適量入れる。その後、パイプ３１の先端を下側シート１と上側シート２の開口した首側部分より袋状内部に挿入し、ポンプ３２を駆動して温水を適量供給する。
【００２４】
そして、密封そで部１０に手を挿入してつまみ１１を握り、つまみ１１を動かして洗浄用具１２で身体を洗う。密封そで部１０は柔軟性を有し、また密封そで部１０を適当に設けることにより、全身を洗うことができる。全身を洗った後は、切り換えコック６を開いて排水し、排水後に切り換えコック６を閉じる。その後、パイプ３１より温水を袋状内部に供給して身体を濯ぐ。濯ぎ後は切り換えコック６を開いて排水する。排水後、密封ジッパー３を前記と逆方向に動かして上側シート２を下側シート１より取り外す。そして、乾いたタオルで身体を拭いた後、下側シート１も乾いたタオルで拭く。
【００２５】
このように、ベッドに寝た身体の不自由な人を移動させないで、ベッドに寝た状態で入浴させることができるので、女子又は高齢者でも１人で容易に入浴させることができる。また非常に簡単な構造よりなるので、安価に提供できる。
【００２６】
図５及び図６は車椅子に装着して用いる場合を示す。図５に示すように、前記実施の形態と同様に、リクライニングシート４０に下側シート１を被せ、下側シート１の下面周囲に取付けられた取付け具４をリクライニングシート４０の側面に取付けられたスライドファスナー、面ファスナー、フック等の取付け具に取付けておく。そして、通常はこの状態で身体の不自由な人の車椅子として使用する。入浴させる場合は、前記実施の形態と同様に、タンク３０、パイプ３１及びポンプ３２からなる温水供給装置を予め準備しておく。
【００２７】
そこで、入浴者が車椅子に座ったままの状態で、肘掛け４１を下げ、またリクライニングシート４０を倒し、膝掛け４２を上げ、図６の状態にする。そして、入浴者に上側シート２を被せ、顔部分を残して上側シート２を密封ジッパー３によって下側シート１に取付ける。これにより、入浴者の身体は袋状に形成された下側シート１と上側シート２内にある状態となる。
【００２８】
この状態で、下側シート１と上側シート２の開口した首側部分より粉石鹸又は液体石鹸を下側シート１と上側シート２で形成される袋状内部に適量入れる。その後、パイプ３１の先端を下側シート１と上側シート２の開口した首側部分より袋状内部に挿入し、ポンプ３２を駆動して温水を適量供給する。
【００２９】
そして、前記実施の形態と同様に、密封そで部１０に手を挿入してつまみ１１を握り、つまみ１１を動かして洗浄用具１２で身体を洗う。密封そで部１０は柔軟性を有し、また密封そで部１０を適当に設けることにより、全身を洗うことができる。全身を洗った後は、切り換えコック６を開いて排水し、排水後に切り換えコック６を閉じる。その後、パイプ３１より温水を袋状内部に供給して身体を濯ぐ。濯ぎ後は切り換えコック６を開いて排水する。排水後、密封ジッパー３を前記と逆方向に動かして上側シート２を下側シート１より取り外す。そして、乾いたタオルで身体を拭いた後、下側シート１も乾いたタオルで拭く。
【００３０】
このように、車椅子に座れる人又は座らせることができる場合は、車椅子に座ったままで入浴させることができるので、女子又は高齢者でも１人で容易に入浴させることができる。また非常に簡単な構造よりなるので、安価に提供できる。
【００３１】
なお、密封そで部１０の先端部が手袋状となっている場合には、下側シート１と上側シート２とで形成される袋内にスポンジ等の洗浄用具を入れておき、密封そで部１０の手袋状に挿入した手で洗浄用具を握って身体を洗浄することは言うまでもない。
【００３２】
【発明の効果】
本発明は、柔軟性と防水性を有する下側シートと、柔軟性と防水性を有し入浴者の顔側を開放させて少なくとも三方が密閉するように、前記下側シートに着脱自在に取付けられる全体或いは一部分が透明な上側シートとよりなり、前記上側シートには、手を挿入して入浴者の身体を洗うための密封そで部が複数形成されているので、下側シートを予めベッド又は車椅子に取付けておくことにより、女子や老齢者等でも１人で容易に入浴させることができる。また簡単な装置であるので、安価に提供できると共に、ベッド或いは部屋を湿気で濡らすのを防げるので、じめじめ感を無くし、健康に悪いかびの発生を抑えることができる。
【図面の簡単な説明】
【図１】本発明の入浴装置の一実施の形態を示し、（ａ）は斜視説明図、（ｂ）は断面説明図である。
【図２】ベッドに下側シートを取付けた状態の斜視説明図である。
【図３】入浴装置をベッドに取付けた場合の斜視説明図である。
【図４】図３の断面説明図である。
【図５】車椅子に下側シートを取付けた状態の斜視説明図である。
【図６】入浴装置を車椅子に取付けた場合の斜視説明図である。
【符号の説明】
１    下側シート
２    上側シート
３    密封ジッパー
４    取付け具
１０  密封そで部
１１  つまみ
１２  洗浄用具
２０  ベッド本体
３０  タンク
３１  パイプ
３２  ポンプ
４０  リクライニングシート
【図１】
0003622075.tif 000002
【図２】
0003622075.tif 000003
【図３】
0003622075.tif 000004
【図４】
0003622075.tif 000005
【図５】
0003622075.tif 000006
【図６】
0003622075.tif 000007